(57)【特許請求の範囲】
【請求項１】
ハンディトーチを使用して、レーザー加工作業を行う際に着用するヘルメットであって、装着検出をライトオン(light on)で動作する反射式光電スイッチＡ及びダークオン(dark on) で動作する反射式光電スイッチＢによって行わせ、ダークオンで動作する反射式光電スイッチには対面して反射板を設け、前記二種類のスイッチがオン(ON)した時にのみ、レーザー加工が実施できることを特徴とする二重装着検出装置付きヘルメット。
【請求項２】
ダークオン(dark on) で動作する反射式光電スイッチＢをヘルメットの内側面、こめかみの髪の毛に対面する部位に設けると共に、反対側内側面に反射板を備えたことを特徴とする請求項１記載の二重装着検出装置付きヘルメット。
【発明の詳細な説明】
【０００１】
【発明の属する技術分野】
この発明は、ＹＡＧレーザーなどのレーザー加工時における、二重装着検出装置付きヘルメットに関する。
【０００２】
【従来の技術】
ハンディトーチを使用してＹＡＧレーザー加工を実施する際に着用するＹＡＧレーザー保護シールド付きヘルメットには検出装置として、従来、信号線を介して制御盤に接続されたリミットスイッチ及び反射式光電スイッチ(light on)が付いており、作業者が頭部にヘルメットを着用し面を正しく被るとリミットスイッチが閉じてシールド機能が働き、額部で反射した光を入力した反射式光電スイッチがオン(on)の状態となり、二つの条件が満たされてはじめてＹＡＧレーザー加工が実施できるというシステムであって、ＹＡＧレーザー保護シールド付きヘルメットを装着しないとＹＡＧレーザー加工が実施できないようにシールドon／off 用スイッチ及び反射式光電スイッチ共にインターロックされている。
【０００３】
【発明が解決しようとする課題】
保護シールド付きヘルメットでは、基本機能として、レーザーから作業者の顔を保護するためのシールドon/off用リミットスイッチが設けられ、正しく面を被った時にシールド機能が働きレーザー加工ができるようにインターロックされているのが通例であり、この発明の場合、この基本部分は必須の前提条件と見做すことができる。
【０００４】
この前提条件となる基本部分を、この発明の対象外と考えれば、信号線によって制御盤に接続されたＹＡＧレーザー保護シールド付きヘルメットで反射式光電スイッチのみの一種類の検出装置では、作業者が往々にしてインターロックを外す等の行為をして、安全が守られない可能性がある。
【０００５】
この発明は、上述の点に着目してなされたもので、額部に当たって反射する光によって作動する反射式光電スイッチに加えて、こめかみの部位を利用して反射板と対のダークオン(dark on) で動作する反射式光電スイッチを新たに設けた二重装着検出装置付きヘルメットを提供することを目的とする。
【０００６】
【課題を解決するための手段】
この発明は、下記構成を備えることにより上記課題を解決できるものである。
【０００７】
（１）  ハンディトーチを使用して、レーザー加工作業を行う際に着用するヘルメットであって、装着検出をライトオン(light on)で動作する反射式光電スイッチＡ及びダークオン(dark on) で動作する反射式光電スイッチＢによって行わせ、ダークオンで動作する反射式光電スイッチには対面して反射板を設け、前記二種類のスイッチがオン(ON)した時にのみ、レーザー加工が実施できることを特徴とする二重装着検出装置付きヘルメット。
【０００８】
（２）  ダークオン(dark on) で動作する反射式光電スイッチＢをヘルメットの内側面、こめかみの髪の毛に対面する部位に設けると共に、反対側内側面に反射板を備えたことを特徴とする前項（１）記載の二重装着検出装置付きヘルメット。
【０００９】
【発明の実施の形態】
以下にこの発明の実施の形態を説明する。
【００１０】
図１は、この発明に係る二重装着検出装置付きヘルメットの平面説明図、図２は同側面説明図である。
【００１１】
図面について説明すれば、１は頭部装着用バンド、２は締め付け部、３は締め付け部固定具、４は面部で、この面部４は回動可能に支持部５で支持され、更に面部４の前面には眼鏡部６が定着されている。この面部４の上方内面で且つ眼鏡部６を通して正しく見通せる状態に面部４を着用した時に額部に対面し、なお図１に示すように上方から見て前方を見通す軸芯ｌ−ｌから２０度左へ振った位置に既設のリミットスイッチＬがあり、前記軸芯ｌ−ｌを境に右側対称位置に反射式光電スイッチＡを配設し、これに加えて面部４の右側面で且つこめかみの髪の毛に対面する部位に反射式光電スイッチＢを設け、更に加えて面部４の左側面で且つ頭部装着用バンド１の内側でこめかみと対面する位置に反射板７を取り付け、全体として二重装着検出装置付きヘルメットを構成している。
【００１２】
上記構成に基づいて作用を説明する。
【００１３】
一般的には反射式光電スイッチは黒い物体には反応せず、例えば髪の毛には反応しない。
【００１４】
以下に、上記二種類の反射式光電スイッチの作用を状況別に列記する。
【００１５】
▲１▼  人が被っていない場合
ライトオン(light on)、スイッチＡ  …  物がない      …  OFF
ダークオン(dark on) 、スイッチＢ  …  反射板で反射  …  OFF
二種類のスイッチともOFF なので結果としてOFF となる。
【００１６】
▲２▼  黒色の物体をヘルメット内に入れた場合
ライトオン(light on)、スイッチＡ  …  …  …  …  …    OFF
ダークオン(dark on) 、スイッチＢ  …  …  …  …  …    ON
一方のスイッチがOFF なので結果としてOFF となる。
【００１７】
▲３▼  黒色以外の物体をヘルメット内に入れるか、またはテープを貼った場合
ライトオン(light on)、スイッチＡ  …  …  …  …  …    ON
ダークオン(dark on) 、スイッチＢ  …  …  …  …  …    OFF
一方のスイッチがOFF なので結果としてOFF となる。
【００１８】
▲４▼  人が被った場合
ライトオン(light on)、スイッチＡ  …  額部で反射  …      ON
ダークオン(dark on) 、スイッチＢ  …  こめかみの髪で遮光  ON
二種類のスイッチともONなので結果としてONとなる。
【００１９】
即ち、作業者がヘルメットを正しく着用し、二種類の反射式光電スイッチＡ、Ｂが同時にONとなり動作した時にのみハンディトーチを使用してＹＡＧレーザー加工が実施できるようになっている。
【００２０】
【発明の効果】
この発明によれば、反射式光電スイッチをライトオン(light on)／ダークオン(dark on) の二種類として、二重の装着検出装置を使用することによりこのヘルメットを人が頭部に正しく装着した時にのみハンディトーチを使用してＹＡＧレーザー加工が実施できるので、安全管理面で信頼性を向上させることができる。
【図面の簡単な説明】
【図１】  この発明の実施の形態を示す平面説明図
【図２】  この発明の実施の形態を示す側面説明図
【符号の説明】
１  頭部装着用バンド
２  締め付け部
３  締め付け部固定具
４  面部
５  支持部
６  眼鏡部
７  反射板
Ａ  反射式光電スイッチ、ライトオン(light on)
Ｂ  反射式光電スイッチ，ダークオン(dark on)
Ｌ  シールドon/off用リミットスイッチ
【図１】
0003773321.tif 000002
【図２】
0003773321.tif 000003